(57)【要約】  本発明は、上部にラミネートを有する飲料缶とその製造法に関し、より詳細には缶が製造される前に、金属の板にラミネートを付設して筒に取り付けられる、上部にラミネートを有する飲料缶に関するものである。缶の中身が充填される前にラミネートが取り付けられることによって達成される。ラミネートの層は、飲料缶全体に取り付けられ、それには飲料を飲む人が手で剥がし易くするための浅い刻線が付けられている。【選択図】図３Ｂ
2007503367.tif 000002
【特許請求の範囲】
【請求項１】
以下のものを含む、上部にラミネートを有する飲料缶。
缶を開け飲み口となる穴のある部分がついている主要部分；
缶の蓋は少なくとも上部と表面全体に取り付けられている保護用ラミネートがあり、主要部分とそれを形成している縁、液体分配部分との境界を定めるため前もって刻線を入れられている上部があり、表面全体に付けられている保護用ラミネート、液体分配部分が保護ラミネートから取り除き易くするための線が入った上部がある；
液体分配タブは蓋の上に前もっていれられた刻線の所で正確に持ち上がる位置に配置されていて、保護用ラミネートも缶の上にある刻線で剥がれる；
【請求項２】
境界線として刻線が入れてあり、保護用ラミネートはきれいな円形に取り除くことができる、請求項１に記載の上部にラミネートを有する飲料缶。
【請求項３】
保護用ラミネートは液体分配部分との境界を定めるため、前もって刻線がいれてあり、ラミネートはその線に沿って剥がれる、請求項１に記載の上部にラミネートを有する飲料缶。
【請求項４】
飲料缶の保護用ラミネートには、剥がすための刻線がついている、請求項１に記載の上部にラミネートを有する飲料缶。
【請求項５】
飲料缶のラミネートの上は印刷することができる、請求項１に記載の上部にラミネートを有する飲料缶。
【請求項６】
飲料缶の保護ラミネートは、前もって決められた温度に達した時に、色が変わる温度を感知する物質を含んでいる、請求項１に記載の上部にラミネートを有する飲料缶。
【請求項７】
以下の工程を含む飲料缶の製造方法。
（ａ）金属製の蓋となる平たいシートの片側に保護用ラミネートを被せる；
（ｂ）金属シートを前もって決められた形や大きさの複数の蓋に切っていく；
（ｃ）それぞれの蓋に液体分配部分との境界を定める刻線をつける；
（ｄ）それぞれの缶の蓋に液体分配弁、液体分配部分で正確に立ち上がるように、液体分配タブをつけ、立ち上がった後、保護用ラミネートが刻線に沿って剥がれるようにする；
（ｅ）飲料缶の蓋が確実に開けられるようにする；
【請求項８】
前記（ｃ）では刻線は缶の蓋全体に定められているので、保護用のラミネートはきれいな円形で取り除かれる、請求項７に記載の飲料缶の製造方法。
【請求項９】
予め液体分配部分との境界を定めるためにラミネートに付けられていた線と刻線のある蓋はタブを液体分配弁から起こした時、分離する、請求項７に記載の飲料缶の製造方法。
【請求項１０】
前記（ｃ）では更に持上げる部分に、剥ぎ取るための刻線を入れる、請求項７に記載の飲料缶の製造方法。
【請求項１１】
前記（ｃ）では更に保護用ラミネートに印刷を施すことができる、請求項７に記載の飲料缶の製造方法。
【請求項１２】
前記（ｃ）では更に保護用ラミネートに前もって決めておいた温度に達した時、色が変わる温度を感知する物質を含ませることができる、請求項７に記載の飲料缶の製造方法。
【発明の詳細な説明】
【技術分野】
【０００１】
本発明は、上部にラミネートを有する飲料缶とその製造法に関し、より詳細には缶が製造される前に、金属の板にラミネートを付設して筒に取り付けられる、上部にラミネートを有する飲料缶に関するものである。
【背景技術】
【０００２】
飲料缶の上部に汚物や毒物が付着していると、消費者は飲料缶を徹底的に洗浄しない限り、汚物や毒物を摂取することとなる。
【０００３】
ある報告によるとハワイマウイ島のある店員が、掃除のために派遣された貯蔵室の周りに、ねずみの糞が落ちていることに気づいた。二、三日後にその店員は入院し、重い臓器の衰弱で亡くなった。医者はその店員に倉庫に居たことがあるか、ねずみの糞のある所に身を晒したかを尋ねるために付き添った。発見された物は、明らかにねずみの糞に棲息するハンタウイルスに似たウイルスであった。
【０００４】
ねずみの糞は一度乾燥すると、埃のようになるので、防御装置を身に付けない者、手や顔を洗わない者、身の周りの物を徹底的に洗浄しない者は、容易にそれを吸収してしまう。検死結果の報告は医師の疑いを確かなものにした。
【０００５】
また、アトランタにある病気予防に関する研究センターの報告によると、ジョージア州では、上部に致死的な毒性のある乾燥したねずみの尿がソーダの缶の上部にこびりついていたことが発見されている。倉庫やコンテナに貯蔵されている飲料缶は、げっ歯類等の動物に汚染されているが、適切に洗浄されることなく、小売業に輸送される。
【０００６】
最も現代的で、上流階級の人が利用する店でさえねずみがいる。スーパーの倉庫には確実にねずみがいる。そのため、飲料缶の上部、特に直接口をつけて飲む部分は、消費者が水や石鹸で洗浄できなくても、上部から異質物を取り除く、何らかの方法を講じることが、最も重要である。
【０００７】
［飲料缶を清潔に保つための試み］
米国特許第５２９２０２２号（１９９４年３月８日（ブランコ）「飲料を密封するための容器」）の図１の実施例には、缶の開封される部分のみを覆い、缶を開けると取り除かれる粘着質の保護装置が開示されている。更に、図２、図３で示された実施例には、缶の上部を覆う保護用の覆いが開示され、この覆いの周辺には圧力のある輪が付いている。保護用の覆いは缶が開けられると傷つき、弱められ、二つに割れ、割れた保護用の覆いは丸くなる。
【０００８】
米国特許第５８１３５５９号（１９９８年９月２９日（チョウ）「衛生用の覆いがある飲料缶」）には、五つの具体的例が開示されている。
いずれも飲料缶の上部のみをカバーする衛生用の覆いについてである。
これらの実施例の中で示されている多種の覆いは、缶の上部に鋲によって取り付けられている。缶が開けられる前に衛生用の覆いが１８０度回転するために、取り付けられている装置もある。
なおその外では、衛生用の覆いは、缶を開ける手段の一部となっている。多種の具体的な物にある違いは、缶の縁が覆われているか、或いはどのように覆われているかどうかである。
【０００９】
米国特許第５９３４４９５号（１９９９年８月１０日（チオド）「缶或いは飲料食品の容器全般のための保護用のフィルム」）には、飲料缶の上部の端に保護用のフィルムを取り付けることが開示されている。
保護用のフィルムは、自然に腐敗することやリサイクルできる。このフィルムは、タブを引けば缶が開けられる前に取り除かれるか、或いは、端が形作られる。
フィルムと缶の間には、消毒のために不活性ガスが注入されている。付属の宣伝用リーフレットにはその方法について説明されている。この特許は保護用のフィルムが、缶の中身が充填される頃か、機械による製造の最終に取り付けられる。
【００１０】
米国特許第６４４３３２３号（２００２年９月３日（デローズ）「缶の保護用のシール」）には、消費者が直接口を付ける部分のみを覆うように、プルタブの下に保護用のシールを付けることが開示されている。この保護用のシールは、缶が開けられる前に邪魔にならない所へ回転していく。
【００１１】
前述の装置は、缶や缶の上部が製造された後の個々の行程で、実際に損害を蒙っている。これで、缶の製造に巨額の費用が加算され、あまりにも高い流れ作業の機械装置は費用の大幅な修正に迫られるようになった。また、保護用の覆いが缶の上部まで伸びず、異質物が人の口や缶の中に入るのを防げなかった場合もある。また、ある装置では、消費者が飲料缶を開ける際に、やりにくい動作を余分にやらなければならない。
【００１２】
また、ビールやソーダ等の飲料は消費者が最もおいしく飲めるように、一定の温度に冷やされていなければならないことが知られているが、現在のところ缶の温度を表示する方法がない。その結果、多くの人は望み通りの温度で飲料を飲むことができず、楽しく飲むことができない。
【００１３】
更に、缶の蓋の表面は文字がなく無地状態であり、宣伝のために有効に使われていない。
【発明の開示】
【発明が解決しようとする課題】
【００１４】
本発明において、最も重要な目的は、缶の蓋が製造される前に、備え付けられる保護用のラミネートを付設した蓋を缶に取り付けることである。
更に本発明の目的は、飲料缶の蓋に付設した保護用のラミネートを、やりにくい動作をしないで、普通に開けて取り除かれるようにすることである。
また本発明の目的は、このような飲料缶の蓋を経済的で容易に製造できるようにすることである。
また本発明の目的は、飲料缶にある保護用のラミネートの一部に、温度表示機能を付与することである。
また本発明の目的は、保護用のラミネートの付設している飲料缶の蓋に文字を表示することである。
また本発明の目的は、飲料缶の使用方法を消費者に受け入れられ易いものにすることである。
【課題を解決するための手段】
【００１５】
本願の第１発明は、以下のものを含む、上部にラミネートを有する飲料缶を提供する。
缶を開け飲み口となる穴のある部分がついている主要部分；
缶の蓋は少なくとも上部と表面全体に取り付けられている保護用ラミネートがあり、主要部分とそれを形成している縁、液体分配部分との境界を定めるため前もって刻線を入れられている上部があり、表面全体に付けられている保護用ラミネート、液体分配部分が保護ラミネートから取り除き易くするための線が入った上部がある；
液体分配タブは蓋の上に前もっていれられた刻線の所で正確に持ち上がる位置に配置されていて、保護用ラミネートも缶の上にある刻線で剥がれる；
【００１６】
本願の第２発明は、境界線として刻線が入れてあり、保護用ラミネートはきれいな円形に取り除くことができる、前記第１発明に記載の上部にラミネートを有する飲料缶を提供する。
【００１７】
本願の第３発明は、保護用ラミネートは液体分配部分との境界を定めるため、前もって刻線がいれてあり、ラミネートはその線に沿って剥がれる、前記第１発明に記載の上部にラミネートを有する飲料缶を提供する。
【００１８】
本願の第４発明は、飲料缶の保護用ラミネートには、剥がすための刻線がついている、前記第１発明に記載の上部にラミネートを有する飲料缶を提供する。
【００１９】
本願の第５発明は、飲料缶のラミネートの上は印刷することができる、前記第１発明に記載の上部にラミネートを有する飲料缶を提供する。
【００２０】
本願の第６発明は、飲料缶の保護ラミネートは、前もって決められた温度に達した時に、色が変わる温度を感知する物質を含んでいる、前記第１発明に記載の上部にラミネートを有する飲料缶を提供する。
【００２１】
本願の第７発明は、以下の工程を含む飲料缶の製造方法を提供する。
（ａ）金属製の蓋となる平たいシートの片側に保護用ラミネートを被せる；
（ｂ）金属シートを前もって決められた形や大きさの複数の蓋に切っていく；
（ｃ）それぞれの蓋に液体分配部分との境界を定める刻線をつける；
（ｄ）それぞれの缶の蓋に液体分配弁、液体分配部分で正確に立ち上がるように、液体分配タブをつけ、立ち上がった後、保護用ラミネートが刻線に沿って剥がれるようにする；
（ｅ）飲料缶の蓋が確実に開けられるようにする；
【００２２】
本願の第８発明は、前記（ｃ）では刻線は缶の蓋全体に定められているので、保護用のラミネートはきれいな円形で取り除かれる、前記第７発明に記載の飲料缶の製造方法を有する飲料缶を提供する。
【００２３】
本願の第９発明は、予め液体分配部分との境界を定めるためにラミネートに付けられていた線と刻線のある蓋はタブを液体分配弁から起こした時、分離する、前記第７発明に記載の飲料缶の製造方法を有する飲料缶を提供する。
【００２４】
本願の第１０発明は、前記（ｃ）では更に持上げる部分に、剥ぎ取るための刻線を入れる、前記第７発明に記載の飲料缶の製造方法を有する飲料缶を提供する。
【００２５】
本願の第１１発明は、前記（ｃ）では更に保護用ラミネートに印刷を施すことができる、前記第７発明に記載の飲料缶の製造方法を有する飲料缶を提供する。
【００２６】
本願の第１２発明は、前記（ｃ）では更に保護用ラミネートに前もって決めておいた温度に達した時、色が変わる温度を感知する物質を含ませることができる、請求項７に記載の飲料缶の製造方法を提供する。
【発明を実施するための最良の形態】
【００２７】
以下に添付図面を参照しながら、本発明の好適な実施例について説明する。
【００２８】
図１Ａ、図１Ｂにおいて番号２０は典型的な従来の飲料缶の全体を示す。
金属製の飲料缶２０は主要部分３０と上部３２（図上１Ｂ）が含まれている。
飲料缶２０の主要部分３０の上部３２にはタブリング４０が配置され、タブリング４０は鋲４２によって取り付けられている。
タブリング４０は凹部エリア５０の端に取り付けられ、円形の浅い溝５２はエリア５４との境界を定めている。
【００２９】
図２Ｂに示すように、タブリング４０は、飲料缶２０の上部３２図に見える位置に取り付けられている。そして、タブリング４０が持上げられると、エリア５４が飲料缶に挿し込まれて、中身の液体を飲用可能な液体オリフィス６０（飲み口）が形成される。
上部３２が徹底的に洗浄されない限り、エリア５４に付着した異物は、飲料缶２０の中に入り、異物が飲用者の口の中に入るということは理解される。
【００３０】
そこで図３Ｂに示すように、フィルム７０、又はラミネート７０が明確に示されている。本発明では、フィルム７０、又はラミネート７０は缶が形成される前に、上部３２を構成する平らな金属板に予め取り付けられる。
本発明は、飲料缶２０を製造する過程において、製造装置を変更することや、飲料缶２０の製造費や上部３２を構成する金属板の製造費のアップは要求されない。
【００３１】
フィルム７０、又はラミネート７０は上部３２の製造過程において粘着により付設され、その後に主要部３０に取り付けられる。
保護用のフィルム７０、又はラミネート７０は液体オリフィス６０の周囲に境界線を定めるために前もって刻線６１が入れられている。
消費者が缶の飲み口を開栓した時、液体オリフィス６０の部位に位置する保護用のフィルム、又はラミネート７０７０が上部３２のエリア５４と一緒に開口穴の中に入り込む。
消費者は希望すれば、飲料缶２０の中身をすぐに飲むことができる。
【００３２】
消費者が清潔な缶２０で飲みたいのなら、蓋を構成する上部３２から、保護用のフィルム７０、又はラミネート７０を剥がすことができる。
液体オリフィス６０を含む蓋を構成する上部３２から、保護用のフィルム７０、又はラミネート７０を取り除き易くするため、保護用のフィルム７０、又はラミネート７０には蓋を構成する上部３２の周囲に沿って多数の刻線７２が設けられている。
【００３３】
缶の蓋を構成する上部３２はアルミニウム、鉄の素材で円形を呈する平板からなり、塗料が塗られてできている。
蓋を構成する上部３２が模られて形成された後にリング４２が取り付けられる。
ここで、缶の蓋を構成するアルミニウム、鉄製の上部３２の上面には塗料が塗られておらず、下面に塗料が塗られている。缶２０の中身との接触によって起こるアルミニウムや鉄との化学反応を防ぐためである。
【００３４】
本発明に係る飲料缶２０の蓋を構成する上部３２に付設した保護用のフィルム７０、又はラミネート７０は、他の組み立てに先行して取り付けられる。
【００３５】
蓋を構成する上部３２が製造され、飲料缶２０に液体が充填され、缶２０の蓋が主要部３０に取り付けられるため縮小されている間も、保護用のフィルム７２、又はラミネート７０は缶２０に留まっている。
【００３６】
蓋を構成する上部３２が製造されている間は、線を入れる過程で、刻線７２は複数あるものがひとつにまとまることが可能である。
例えば刻線７２は浅く切り込まれた線であり、摘み片であるエリア７３は保護用のフィルム７０、又はラミネート７０が浅くきりこまれた刻線７２と一緒に取り外せるように設計されている。
複数あるなかのひとつの刻線７２は、蓋を構成する上部３２の全周に亘って形成されているので、保護用のフィルム７０、又はラミネート７０はきれいな円形で取り外すことができる。
【００３７】
保護用のフィルム７０、又はラミネート７０に求められる特性には、平らな材料が缶２０に形成される時に、金属の下側の表面にくっ付くということである。
更に保護用のフィルム７０、又はラミネート７０は、液体分配タブが、蓋３２から引っ張り取られ、切り口のある表面を破る時、速やかに切り離されなければならない。こういった素材は、プラスチックコーティングやポリエステルを用いて作ることができる。
【００３８】
保護用のフィルムは多種類に着色して作ることができる。
これによって、缶２０には卓越した特長ができる。
着色された保護用のフィルムは特別な宣伝活動でブランドとして区別されるために使われる。
飲料会社が宣伝活動を行う際、缶２０の主要部３０にメッセージを印刷できる。
先行活動も含まれるため、飲料会社にとって、個々の宣伝活動はかなり大きな仕事である。会社が行える宣伝活動には限りがある。
缶３２の表面には、宣伝用のメッセージを載せることができる。前もってプログラムされたメッセージはジェットプリンター、レーザープリンター或いは他の高速プリンターで印刷できる。
【００３９】
缶への印刷は、蓋を縮小する前あるいは縮小した後のいずれでもできる。
缶の印刷はコンピュータで制御されているので、飲料会社はこの方法で多くの小規模の宣伝活動を行える。
缶の印刷は生産ラインでおこなわれるため、保護用のフィルム７０、又はラミネート７０に宣伝メッセージを加える費用を最小限に抑えることができる。
これは、競争の激しい産業にとって有益な要素である。
【００４０】
更に、保護用のフィルム７０、又はラミネート７０は、温度によって色が多種に変化する成分を含まておくことができる。
保護用フィルム７０、又はラミネート７０の色は、飲料を消費するのに理想の温度を表示する手段として用いられる。
【００４１】
温度表示は、缶２０の主要部３０の位置にも取り付けられる。これを取り付ける方法のひとつに、温度を感知するインクで缶２０に印刷するというのがある。
棒や点のように印刷したものは独立した温度表示になりうるし、文字全体の一部になりうる。
温度表示の色は室温から希望の温度に下がった時に変わる。飲料を飲む者にとってはクールな体験となる。
【００４２】
レーザーを用いても保護用のフィルム７０、又はラミネート７０と保護用フィルムの上に刻線７２の上に印刷することができる。
【００４３】
第一に、ベルトコンベアーで中身が充填された缶２０が運ばれ、写真感知機が蓋を構成する上部３２の上にあるプルタブ４０の開口部を探知する。
第二にレーザーがプログラムに従い蓋を構成する上部３２の平らな部分にメッセージを印刷する。
第三に、保護用フィルムを取り外せるようにするため、レーザーガンが保護用のフィルム７０、又はラミネート７０に様々な形態で刻線７２を形成することができる。
たとえば、レーザーガンは、飲料缶２０の外側にある脇の壁面切断のための線を作ることができる。このことは図４に示されている。これで、消費者は保護用のフィルム７０、又はラミネート７０を剥がし易くなる。
【００４４】
蓋を構成する上部３２に付設した保護用フィルム７０を取り付けるためには印刷するか、或いは蓋の上に温度を感知する物質を含んだ塗料を塗るかの選択がある。塗料は剥がれないように設計されている。
【００４５】
その他に、最初に蓋を構成する上部３２の材料に温度を感知する物質を印刷するか、被せるかという選択もある。
保護用のフィルム７０、又はラミネート７０は、缶２０の組み立て中や運送中に温度を感知する層を覆って、缶２０の中身が塗料と直接接触するのを防いでいる。
【００４６】
また、保護用のフィルム７０、又はラミネート７０を二重の層にするという選択もある。下の層は温度を感知する物質を含み、蓋を構成する上部３２に接触している。上の層は透けているが、缶２０が開けられた時、下の層が缶の中身に接触するのを防いでいる。
【００４７】
本発明は上記した実施の形態や個々の構成に限定される必要はなく、適切に交換することができるし、適宜選択の余地がある。
【００４８】
本発明とそれに付随する図面の中で、個々の構成部分の位置を示すために使われている「真上に」「下方に」「上に」「下げる」「内側」「外側」「外部」「内部」「垂直」「水平に」といった空間に関する用語は、必ずしもそのような位置に限定されなければならないというわけではない。
本発明は上記した実施例に限定されるものでない。
このように、本発明の目的は充分に効果的に達成されている。その実施例は本発明の機能と構造的原理を説明する目的で記述されている。そして課題はその原理から離れることなく変化を起こすことである。
【図面の簡単な説明】
【００４９】
【図１Ａ】中身が消費される前の典型的な金属の飲料缶の側面図であり、重要な設計図でもある。
【図１Ｂ】中身が消費される前の典型的な金属の飲料缶の平面図であり、重要な設計図でもある。
【図２Ａ】分解式金属の飲料缶の側面図であり、重要な設計図でもある。
【図２Ｂ】分解式金属の飲料缶の平面図であり、重要な設計図でもある。
【図３Ａ】本発明に従って一部を取り除かれた保護用のプラスチック層と組み立てられた飲料缶の側面図であり、重要な設計図である。
【図３Ｂ】本発明に従って一部を取り除かれた保護用のプラスチック層と組み立てられた飲料缶の平面図であり、重要な設計図である。
【図４】本発明に従って保護用のラミネートの層を有して組み立てられ、一部分が省略された飲料缶の図面である。
【図１Ａ】
2007503367.tif 000003
【図１Ｂ】
2007503367.tif 000004
【図２Ａ】
2007503367.tif 000005
【図２Ｂ】
2007503367.tif 000006
【図３Ａ】
2007503367.tif 000007
【図３Ｂ】
2007503367.tif 000008
【図４】
2007503367.tif 000009
【国際調査報告】
2007503367.tif 000010
2007503367.tif 000011